(57)【要約】【課題】放射能測定値の測定結果の信頼性を向上できる放射能測定容器を得る。【解決手段】測定対象試料１を充填して、放射能を測定するための放射能測定容器１０であって、密度が均質な測定対象試料１をあらかじめ規定された容量まで充填し、均一に分布させた場合の幾何学的重心である基準試料重心位置１０１と、放射線に感度を有する放射線検出器５０のセンサ部５１のセンサ部重心位置１００とが、一致するか、またはこれらの重心位置間隔８０が所定の距離範囲内に収まるように、センサ部５１を配置するための放射線検出器挿入用凹部１１を備える。【選択図】図２
2014163745.tif 000002
【特許請求の範囲】
【請求項１】
測定対象試料を充填して、放射能を測定するための放射能測定容器であって、
密度が均質な前記測定対象試料をあらかじめ規定された容量まで充填し、均一に分布させた場合の幾何学的重心である基準試料重心位置と、放射線に感度を有する放射線検出器のセンサ部のセンサ部重心位置とが、一致するか、またはこれらの重心位置間隔が所定の距離範囲内に収まるように、前記センサ部を配置するためのセンサ配置部
を備えた放射能測定容器。
【請求項２】
前記センサ配置部は、充填された前記測定対象試料に含まれるすべての放射性物質から放出される放射線が最も集まる位置である放射線重心位置と、前記基準試料重心位置および前記センサ部重心位置とが、一致するか、またはこれらの重心位置間隔が所定の距離範囲内に収まるように構成されている
請求項１に記載の放射能測定容器。
【発明の詳細な説明】
【技術分野】
【０００１】
この発明は、放射能を測定する際に用いられる放射能測定容器に関する。
【背景技術】
【０００２】
従来、食品、水、土壌等に含まれる微量な放射性物質の分析、定量（放射能の測定）を行う場合には、測定対象とする試料からの放射線を効率良く検出するために、マリネリ容器を用いることが提案されている（例えば、非特許文献１参照）。
【０００３】
ここで、マリネリ容器とは、放射線検出器のセンサ部を挿入するために、円柱形容器の底部が凹形状になっている容器である。また、放射線の検出効率を高めるためのマリネリ容器の寸法が提案されている（例えば、非特許文献２参照）。
【先行技術文献】
【非特許文献】
【０００４】
【非特許文献１】「放射能測定法シリーズ  ７  ゲルマニウム半導体検出器によるガンマ線スペクトロメトリー」、財団法人  日本分析センター、平成１６年７月３０日、ｐ．１０２−１０４
【非特許文献２】Ａ．Ｓ．Ａｈｍｅｄ，ｅｔ  ａｌ．，“Ｏｐｔｉｍｉｚａｔｉｏｎ  ｏｆ  ｇｅｏｍｅｔｒｉｃ  ｐａｒａｍｅｔｅｒｓ  ｆｏｒ  Ｍａｒｉｎｅｌｌｉ  ｂｅａｋｅｒ  ｔｏ  ｍａｘｉｍｉｚｅ  ｔｈｅ  ｄｅｔｅｃｔｉｏｎ  ｅｆｆｉｃｉｅｎｃｙ  ｏｆ  ａｎ  ＨＰＧｅ  ｄｅｔｅｃｔｏｒ”，Ｎｕｃｌｅａｒ  Ｉｎｓｔｒｕｍｅｎｔｓ  ａｎｄ  Ｍｅｔｈｏｄｓ  ｉｎ  Ｐｈｙｓｉｃｓ  Ｒｅｓｅａｒｃｈ  Ａ  ６１０，２００９，ｐ．７１８−７２３
【発明の概要】
【発明が解決しようとする課題】
【０００５】
しかしながら、従来技術には、以下のような課題がある。
従来のマリネリ容器を用いた放射能の測定では、試料詰め作業における測定対象試料の充填不足や充填過多、マリネリ容器の設置位置のずれ、マリネリ容器内の測定対象試料の偏在、測定対象試料内の放射性物質の偏在等のばらつきにより、測定結果となる放射能測定値が変動することが知られている。
【０００６】
そのため、測定対象試料に本来含まれる放射能よりも、過大評価または過小評価される恐れがあり、測定結果の信頼性が低いという問題がある。なお、ばらつきに対する測定結果の信頼性の向上を目的としたマリネリ容器や放射能測定容器の形状に関する特許文献および非特許文献は、存在していない。
【０００７】
特に、測定対象試料が個体であり、放射性物質が特定箇所にのみ存在する場合や、特定の測定対象試料のみが放射性物質を含む場合には、測定対象試料がマリネリ容器内で上下半分に偏在したり、測定対象試料に含まれる放射性物質が上下半分に偏在したりすることが、一般的に多く発生する。
【０００８】
この場合には、放射能測定値が、本来の測定値に対して±数十％程度変動する可能性があり、あらかじめ定められた放射能値以上の食品が、食用可能と判断される過小評価の恐れや、本来は食用可能であるにもかかわらず、放射能測定値の変動により、食用不可と判断される過大評価の恐れがあった。
【０００９】
この発明は、上記のような課題を解決するためになされたものであり、放射能測定値の測定結果の信頼性を向上させることができる放射能測定容器を得ることを目的とする。
【課題を解決するための手段】
【００１０】
この発明に係る放射能測定容器は、測定対象試料を充填して、放射能を測定するための放射能測定容器であって、密度が均質な測定対象試料をあらかじめ規定された容量まで充填し、均一に分布させた場合の幾何学的重心である基準試料重心位置と、放射線に感度を有する放射線検出器のセンサ部のセンサ部重心位置とが、一致するか、またはこれらの重心位置間隔が所定の距離範囲内に収まるように、センサ部を配置するためのセンサ配置部を備えたものである。
【発明の効果】
【００１１】
この発明に係る放射能測定容器によれば、密度が均質な測定対象試料をあらかじめ規定された容量まで充填し、均一に分布させた場合の幾何学的重心である基準試料重心位置と、放射線に感度を有する放射線検出器のセンサ部のセンサ部重心位置とが、一致するか、またはこれらの重心位置間隔が所定の距離範囲内に収まるように、センサ部を配置するためのセンサ配置部を備えている。
これにより、試料詰め作業における測定対象試料の充填不足や充填過多、放射能測定容器の設置位置のずれ、放射能測定容器内の測定対象試料の偏在、測定対象試料内の放射性物質の偏在等によって生じるばらつきによる変動を低減することができる。
そのため、放射能測定値の測定結果の信頼性を向上させることができる放射能測定容器を得ることができる。
【図面の簡単な説明】
【００１２】
【図１】この発明の実施の形態１に係る放射能測定容器を示す概略斜視図である。
【図２】図１に示した放射能測定容器に測定対象試料が充填された状態を、放射線検出器とともに示す断面図である。
【図３】この発明の実施の形態１に係る放射能測定容器を用いた放射能測定において、重心位置間隔が１５ｍｍである場合の、放射性物質の分布状態に対するばらつきによる変動を示す説明図である。
【図４】この発明の実施の形態１に係る放射能測定容器を用いた放射能測定において、重心位置間隔が１ｍｍである場合の、放射性物質の分布状態に対するばらつきによる変動を示す説明図である。
【図５】この発明の実施の形態１に係る放射能測定容器を用いた放射能測定において、ばらつきによる変動の低減を示す説明図である。
【図６】重心位置間隔が、測定対象試料に含まれる放射性物質の分布状態に対する検出効率に与える影響を示す説明図である。
【図７】この発明の実施の形態２に係る球形の放射能測定容器に、測定対象試料が充填された状態を、放射線検出器とともに示す断面図である。
【図８】この発明の実施の形態２に係る円柱形の放射能測定容器に、測定対象試料が充填された状態を、放射線検出器とともに示す断面図である。
【図９】この発明の実施の形態２に係る別の円柱形の放射能測定容器に、測定対象試料が充填された状態を、放射線検出器とともに示す断面図である。
【発明を実施するための形態】
【００１３】
以下、この発明に係る放射能測定容器の好適な実施の形態につき図面を用いて説明するが、各図において同一、または相当する部分については、同一符号を付して説明する。
【００１４】
実施の形態１．
図１は、この発明の実施の形態１に係る放射能測定容器１０を示す概略斜視図である。図１において、放射能測定容器１０は、放射線検出器のセンサ部を挿入するための放射線検出器挿入用凹部（センサ配置部）１１と、測定対象試料を充填するための充填用開口部１２とを備え、測定対象試料の規定充填容量を示す規定充填容量表示線１３が設けられている。
【００１５】
図２は、図１に示した放射能測定容器１０に測定対象試料１が充填された状態を、放射線検出器５０とともに示す断面図である。図２において、放射能測定容器１０には、測定対象試料１が、規定充填容量表示線１３まで充填されている。また、放射能測定容器１０の放射線検出器挿入用凹部１１には、測定対象試料１に含まれる放射性物質の放射能を測定するために、放射線検出器５０のセンサ部５１が挿入されている。
【００１６】
ここで、測定対象試料１は、放射能測定容器１０に、あらかじめ規定された容量が充填される。なお、測定対象試料１が個体であり、放射能測定容器１０に均一に充填できない場合には、裁断や粉砕することによって、粉末状またはペースト状に加工される。また、測定対象試料１が液体である場合には、加工する必要はない。
【００１７】
また、放射能測定容器１０には、上述したように、測定対象試料１をあらかじめ規定された容量だけ充填するために、規定充填容量表示線１３が設けられている。具体的には、規定充填容量表示線１３は、測定対象試料１を充填する体積容量を示すものであり、例えば、７００ｍｌ、１Ｌ、２Ｌ等の測定対象試料１を充填するための表示である。
【００１８】
また、放射能測定容器１０は、上述したように、放射線検出器５０を配置するための放射線検出器挿入用凹部１１を備えている。なお、必ずしも凹部である必要はなく、放射線検出器５０のセンサ部５１を囲むような形状であればよい。
【００１９】
ここで、密度が均質な測定対象試料１を、放射能測定容器１０に均一に充填した際に決まる幾何学的重心である基準試料重心位置１０１と、放射線に感度を有する放射線検出器５０のセンサ部５１のセンサ部重心位置１００とは、一致するか、またはこれらの重心位置間隔８０が、所定の距離範囲内（±１０ｍｍ以内）に収まるように配置されている。
【００２０】
以下、測定対象試料１が上下半分に偏在した場合において、ばらつきによる放射能測定値の変動を低減する効果について説明する。なお、放射線検出器５０のセンサ部５１は、放射線に対して感度を有する物質のことを指す。例えば、ＮａＩ（Ｔｌ）シンチレーション式放射線検出器の場合には、ＮａＩ（Ｔｌ）結晶のことを指し、Ｇｅ半導体式放射線検出器の場合には、Ｇｅ半導体素子のことを指す。
【００２１】
ここで、基準試料重心位置１０１は、次式（１）のように定義される。なお、式（１）において、ｒＳｃは基準試料重心位置１０１を示し、ρＳは基準試料の密度を示し、ＭＳは基準試料の質量を示し、ＶＳは基準試料の体積を示し、ｄＶＳは基準試料内の微小体積を示し、ｒＳはあらかじめ定められた基準座標から微小体積ｄＶＳの方向ベクトルを示している。
【００２２】
【数１】
2014163745.tif 000003
【００２３】
また、放射線検出器５０のセンサ部５１のセンサ部重心位置１００は、次式（２）のように定義される。なお、式（２）において、ｒＤｃはセンサ部重心位置１００を示し、ρＤはセンサ部５１の密度を示し、ＭＤはセンサ部５１の質量を示し、ＶＤはセンサ部５１の体積を示し、ｄＶＤはセンサ部５１の微小体積を示し、ｒＤはあらかじめ定められた基準座標から微小体積ｄＶＤの方向ベクトルを示している。
【００２４】
【数２】
2014163745.tif 000004
【００２５】
このとき、あらかじめ定められた基準座標は、任意に決定されるが、基準試料重心位置１０１（ｒＳｃ）およびセンサ部重心位置１００（ｒＤｃ）の算出過程において、互いに同一箇所でなければならない。
【００２６】
また、基準試料重心位置１０１およびセンサ部重心位置１００を簡単に求めるためには、放射能測定容器１０が線対称の円柱形である場合、規定充填容量の半分の容量を充填した際に決まる高さと線対称軸との交点を、放射線検出器５０のセンサ部５１のセンサ部重心位置１００と一致させるか、または所定の距離範囲内（±１０ｍｍ以内）に合わせればよい。
【００２７】
なお、このことは、放射能測定容器１０に充填された測定対象試料１から、放射線検出器５０のセンサ部５１の立体角が、密度が均質な測定対象試料１を、放射能測定容器１０に均一に充填した場合や、測定対象試料１が上下半分に偏在した場合であっても、ほぼ一定になることを示している。
【００２８】
放射能測定値は、測定対象試料１に含まれる放射性物質から放出された放射線がセンサ部５１に入射した単位時間あたりの検出数である計数率、放射能測定容器１０に対してあらかじめ算出された基準検出効率、および測定対象とする放射性物質固有の定数である放出率に基づいて、放射線検出器５０が次式（３）を用いて算出する。
【００２９】
【数３】
2014163745.tif 000005
【００３０】
式（３）において、基準検出効率は、放射能測定容器１０に測定対象試料１を規定充填容量まで充填し、測定対象試料１に含まれる放射性物質が全体に均一に分布する状態である場合に、測定対象試料１に含まれる放射性物質から放出される全放射線数に対して、放射線検出器５０のセンサ部５１に入射する放射線数として、次式（４）で表される。
【００３１】
【数４】
2014163745.tif 000006
【００３２】
上述したように、測定対象試料１を放射能測定容器１０に充填する場合に、測定対象試料１の充填不足や充填過多、放射能測定容器１０の設置位置のずれ、放射能測定容器１０内の測定対象試料１の偏在、測定対象試料１内の放射性物質の偏在等のばらつきにより、放射能測定値が変動する。この変動を、「ばらつきによる変動」と称する。
【００３３】
ここで、図３、４を参照しながら、放射能測定容器１０を用いた放射能測定において、ばらつきによる変動が増大する場合について説明する。図３、４は、それぞれこの発明の実施の形態１に係る放射能測定容器１０を用いた放射能測定において、重心位置間隔８０が１５ｍｍおよび１ｍｍである場合の、放射性物質２の分布状態に対するばらつきによる変動を示す説明図である。
【００３４】
図３、４では、放射能測定容器１０に測定対象試料１を充填した際に、測定対象試料１に含まれる放射性物質２の分布状態が全体的に均一に分布する場合、上部半分に分布する場合、および下部半分に分布する場合の各状態について、放射線検出器５０が単位時間あたりに放射線を検出した計数率Ｘｉ、放射能測定値Ｎｉ、およびばらつきによる変動ΔＮｉをそれぞれ示している。
【００３５】
また、図３、４では、固定値である基準検出効率η、測定対象試料１に含まれる本来の放射能Ｒ、および放出率Ｃについてもそれぞれ示している。なお、添字ｉは、測定対象試料１に含まれる放射性物質２の分布状態を表しており、ｉ＝１は全体均一分布状態を示し、ｉ＝２は上部半分分布状態を示し、ｉ＝３は下部半分分布状態を示している。
【００３６】
ここで、放射能測定値Ｎｉは、次式（５）のように定義され、ばらつきによる変動ΔＮｉは、次式（６）のように定義され、放射性物質２の分布状態に対する検出効率ηｉは、次式（７）のように定義される。
【００３７】
【数５】
2014163745.tif 000007
【００３８】
【数６】
2014163745.tif 000008
【００３９】
【数７】
2014163745.tif 000009
【００４０】
式（５）、（６）において、放射能測定値Ｎｉは、測定対象試料１に含まれる放射性物質２の分布状態に関係なく、あらかじめ算出された基準検出効率ηに基づいて算出されるので、ばらつきによる変動ΔＮｉが発生する。なお、ばらつきによる変動ΔＮｉが発生する理由は、式（７）によって定義される、測定対象試料１に含まれる放射性物質２の分布状態に対する検出効率ηｉと基準検出効率ηとの間に、差異があるためである。
【００４１】
ここで、図３から、センサ部重心位置１００と基準試料重心位置１０１との重心位置間隔８０が１５ｍｍであることにより、測定対象試料１に含まれる放射性物質２の分布状態に対する検出効率ηｉが増減し、基準検出効率ηとの差異が大きくなり、ばらつきによる変動ΔＮｉが、本来の放射能測定値Ｎｉに対して±５０Ｂｑとなることがわかる。
【００４２】
一方、図４から、センサ部重心位置１００と基準試料重心位置１０１との重心位置間隔８０が１ｍｍであることにより、測定対象試料１に含まれる放射性物質２の分布状態に対する検出効率ηｉの増減が小さく、基準検出効率ηとの差異が小さいので、ばらつきによる変動ΔＮｉが、本来の放射能測定値Ｎｉに対して±５Ｂｑとなることがわかる。
【００４３】
次に、図５を参照しながら、この発明の実施の形態１に係る放射能測定容器１０を用いた放射能測定における、ばらつきによる変動の低減について説明する。図５において、センサ部重心位置１００と基準試料重心位置１０１との重心位置間隔８０が１５ｍｍである場合には、測定対象試料１に含まれる放射性物質２の分布状態に対する検出効率ηｉと基準検出効率ηとの差異が大きいので、ばらつきによる変動も増大する。
【００４４】
これに対して、センサ部重心位置１００と基準試料重心位置１０１との重心位置間隔８０を１ｍｍとすることにより、測定対象試料１に含まれる放射性物質２の分布状態に対する検出効率ηｉと基準検出効率ηとの差異を小さくすることができるので、ばらつきによる変動を低減することができる。
【００４５】
ここで、図６を参照しながら、重心位置間隔８０が、測定対象試料１に含まれる放射性物質２の分布状態に対する検出効率に与える影響について説明する。
【００４６】
図６において、重心位置間隔８０が離れる場合には、放射能測定容器１０に分布する放射性物質２が上部半分に分布することで、放射性物質２から放出される放射線が、センサ部５１に入射する割合が増加し、放射能測定容器１０に分布する放射性物質２が下部半分に分布することで、放射性物質２から放出される放射線が、センサ部５１に入射する割合が減少して、基準検出効率との差異が増大する。
【００４７】
なお、放射線がセンサ部５１に入射する割合とは、放射能測定容器１０に分布する全放射性物質２が放出する放射線の全数をセンサ部５１に入射した数で除したものであり、検出効率と同義である。
【００４８】
一方、図６において、重心位置間隔８０が近い場合には、放射能測定容器１０に分布する放射性物質２が上部半分または下部半分に分布しても、放射性物質２から放出される放射線が、センサ部５１に入射する割合がほとんど変化しないので、基準検出効率との差異が小さい。
【００４９】
すなわち、図２に示されるように、密度が均質な測定対象試料１を、放射能測定容器１０に均一に充填した際に決まる幾何学的重心である基準試料重心位置１０１と、放射線検出器５０のセンサ部５１のセンサ部重心位置１００との重心位置間隔８０が、所定の距離範囲内（±１０ｍｍ以内）に収まるように、放射線検出器５０を配置するための放射線検出器挿入用凹部１１を設けたことにより、放射能測定容器１０に充填された測定対象試料１に含まれる放射性物質２が上部半分または下部半分に分布した際に発生するばらつきによる変動を低減することができるので、放射能測定値の測定結果の信頼性を向上させることができる。
【００５０】
具体的には、食品等に含まれる放射能の分析に用いる放射能測定容器１０の形状に関して、放射線検出器５０のセンサ部５１を挿入する容器の凹部、または放射線検出器５０のセンサ部５１を囲む容器において、あらかじめ規定された容量に対して、密度が均質な測定対象試料１を放射能測定容器１０に充填した際に決まる幾何学的重心である基準試料重心位置１０１と、放射能測定に用いる放射線検出器５０のセンサ部５１のセンサ部重心位置１００とを、一致するか、または所定の距離範囲内（±１０ｍｍ以内）に収まるように配置することで、測定対象試料１を放射能測定容器１０に詰める作業における測定対象試料１の充填不足や充填過多、放射能測定容器１０の設置位置のずれ、放射能測定容器１０内の測定対象試料１の偏在、測定対象試料１内の放射性物質２の偏在等によって生じるばらつきによる放射能測定値の変動を低減することができるので、放射能測定容器１０を用いた場合の放射能測定値の測定結果の信頼性を向上させることができる。
【００５１】
以上のように、実施の形態１によれば、密度が均質な測定対象試料をあらかじめ規定された容量まで充填し、均一に分布させた場合の幾何学的重心である基準試料重心位置と、放射線に感度を有する放射線検出器のセンサ部のセンサ部重心位置とが、一致するか、またはこれらの重心位置間隔が所定の距離範囲内に収まるように、センサ部を配置するためのセンサ配置部を備えている。
これにより、試料詰め作業における測定対象試料の充填不足や充填過多、放射能測定容器の設置位置のずれ、放射能測定容器内の測定対象試料の偏在、測定対象試料内の放射性物質の偏在等によって生じるばらつきによる変動を低減することができる。
そのため、放射能測定値の測定結果の信頼性を向上させることができる放射能測定容器を得ることができる。
【００５２】
実施の形態２．
上記実施の形態１では、図２に示されるように、ばらつきによる変動を低減するために、センサ部重心位置１００と基準試料重心位置１０１との重心位置間隔８０が一致するか、または所定の距離範囲内（±１０ｍｍ以内）に収まるように、放射能測定容器１０の放射線検出器挿入用凹部１１を設ける構成について説明した。
【００５３】
ここで、この発明の実施の形態２では、図７〜９を参照しながら、さらに、放射能測定容器１０に充填された測定対象試料１に含まれるすべての放射性物質２からの放射線が最も集光する放射線重心位置１０２を、センサ部重心位置１００および基準試料重心位置１０１と一致させる構成について説明する。
【００５４】
ここで、放射線重心位置１０２は、測定対象試料１に含まれるすべての放射性物質２から放出される放射線が最も集まる位置であり、ＥＧＳ５（Ｅｌｅｃｔｒｏｎ  Ｇａｍｍａ  Ｓｈｏｗｅｒ  ｖｅｒ．５）等の放射線挙動解析用のモンテカルロ輸送計算コードを用いることによって決定することができる。
【００５５】
図７は、この発明の実施の形態２に係る球形の放射能測定容器１０Ａに、測定対象試料１が充填された状態を、放射線検出器５０とともに示す断面図である。図７の断面図に示されるように、規定充填容量から決まる球形の放射能測定容器１０Ａであって、用いられる放射線検出器５０の体積が限りなく小さく、放射線検出器挿入用凹部１１を設けない場合には、放射線重心位置１０２が球の中心となる。
【００５６】
このとき、放射線重心位置１０２と同様に、センサ部重心位置１００および基準試料重心位置１０１も球の中心となるので、センサ部重心位置１００、基準試料重心位置１０１および放射線重心位置１０２が一致する。
【００５７】
図８は、この発明の実施の形態２に係る円柱形の放射能測定容器１０Ｂに、測定対象試料１が充填された状態を、放射線検出器５０とともに示す断面図である。図８の断面図に示されるように、線対称の円柱形の放射能測定容器１０Ｂであって、用いられる放射線検出器５０の体積が限りなく小さく、放射線検出器挿入用凹部１１を設けない場合には、充填された測定対象試料１の直径および高さが等しい正方形にすることで、放射線重心位置１０２が断面の中心となる。
【００５８】
このとき、放射線重心位置１０２と同様に、センサ部重心位置１００および基準試料重心位置１０１も断面の中心となるので、センサ部重心位置１００、基準試料重心位置１０１および放射線重心位置１０２が一致する。
【００５９】
図９は、この発明の実施の形態２に係る円柱形の放射能測定容器１０Ｃに、測定対象試料１が充填された状態を、放射線検出器５０とともに示す断面図である。図９の断面図に示されるように、線対称の円柱形の同軸上に放射線検出器挿入用凹部１１が設けられた放射能測定容器１０Ｃの場合には、放射能測定容器１０Ｃと放射線検出器５０との干渉により、センサ部重心位置１００、基準試料重心位置１０１および放射線重心位置１０２を一致させる配置が物理的に困難なので、それらが干渉しない程度（所定の距離範囲内、例えば±１０ｍｍ以内）に配置する。
【００６０】
例えば、一般的なＮａＩ（Ｔｌ）シンチレーション式放射線検出器のセンサ部５１のサイズが直径３インチ、長さ３インチである場合には、放射線検出器挿入用凹部１１が直径１０５ｍｍ、深さ１２８ｍｍとなり、充填された測定対象試料１の断面の直径と高さとの比率（高さを直径で除した値）が約８９％の長方形になる。
【００６１】
また、一般的なＮａＩ（Ｔｌ）シンチレーション式放射線検出器のセンサ部５１のサイズが直径２インチ、長さ２インチである場合には、放射線検出器挿入用凹部１１が直径８５ｍｍ、深さ１０２ｍｍとなり、充填された測定対象試料１の断面の直径１６４ｍｍと高さ１１８ｍｍとの比率（高さを直径で除した値）が約７２％の長方形になる。
【００６２】
以上のように、実施の形態２によれば、センサ配置部が、充填された測定対象試料に含まれるすべての放射性物質から放出される放射線が最も集まる位置である放射線重心位置と、基準試料重心位置およびセンサ部重心位置とが、一致するか、またはこれらの重心位置間隔が所定の距離範囲内に収まるように構成されている。
そのため、ばらつきによる変動を低減して放射能測定値の測定結果の信頼性を向上させるとともに、検出効率を向上させることができる。
【００６３】
なお、上記実施の形態２では、放射線重心位置１０２が一箇所の場合について説明したが、放射線重心位置１０２が複数箇所存在する場合や分布する場合には、用いられる放射線検出器５０が配置しやすく、かつセンサ部重心位置１００と基準試料重心位置１０１とが一致するか、または所定の距離範囲内（±１０ｍｍ以内）に収まるようにすればよい。
【００６４】
また、上記実施の形態１、２では、放射能測定容器１０が円柱型形状や球形状である場合を例に挙げて説明したが、放射線検出器５０を配置できれば、放射能測定容器１０はどのような形状であってもよい。また、放射線検出器挿入用凹部１１は、貫通していてもよい。さらに、放射能測定に用いる放射線検出器５０は、シンチレーション式放射線検出器、半導体式放射線検出器等の、放射線を検出可能な放射線検出器であれば、どのような検出器であっても適用することができる。
【符号の説明】
【００６５】
１  測定対象試料、２  放射性物質、１０、１０Ａ〜１０Ｃ  放射能測定容器、１１  放射線検出器挿入用凹部（センサ配置部）、１２  充填用開口部、１３  規定充填容量表示線、５０  放射線検出器、５１  センサ部、８０  重心位置間隔、１００  センサ部重心位置、１０１  基準試料重心位置、１０２  放射線重心位置。
【図１】
2014163745.tif 000010
【図２】
2014163745.tif 000011
【図３】
2014163745.tif 000012
【図４】
2014163745.tif 000013
【図５】
2014163745.tif 000014
【図６】
2014163745.tif 000015
【図７】
2014163745.tif 000016
【図８】
2014163745.tif 000017
【図９】
2014163745.tif 000018